(57)【要約】【課題】低音の音質改善ができ、小型化による音質劣化をなくすことができるバスレフ型構造を持つスピーカー装置を提供する。【解決手段】バスレフ型構造を持つスピーカー装置は、スピーカーの取付部１６を有する第１室１２と、音道孔１７を通って第１室１２と繋がった第２室１３と、第２室１３から第１室１２を貫通して伸びる貫通管２０と、貫通管２０を通って第２室１３と繋がった第３室１４を含む。第３室１４に設けられたダクト１８を介して外部にスピーカーの音が放射される。【選択図】図１
2007235282.tif 000002
【特許請求の範囲】
【請求項１】
バスレフ型構造を持つスピーカー装置において、
スピーカーの取付部を有する第１室と、音道孔を通って第１室と繋がった第２室と、第２室から第１室を貫通して伸びる貫通管と、貫通管を通って第２室と繋がった第３室を含み、第３室に設けられたダクトを介して外部にスピーカーの音が放射される様に構成されたことを特徴とするスピーカー装置。
【請求項２】
前記貫通管は第１室から管壁により画され、管壁の強度はスピーカーの音の音圧で振動する程度のものである請求項１記載のスピーカー装置。
【請求項３】
前記貫通管は、第１室から第３室に向かって先太りのテーパー状の形状を有する請求項１または２記載のスピーカー装置。
【請求項４】
前記第１室と第２室を繋ぐ音道孔は、ダクトである請求項１、２または３記載のスピーカー装置。
【請求項５】
前記スピーカーは中低域用スピーカーである請求項１乃至４のいずれかに記載のスピーカー装置。
【発明の詳細な説明】
【技術分野】
【０００１】
本発明は、バスレフ型構造を持つスピーカー装置に関する。
【背景技術】
【０００２】
従来より、スピーカー装置の低音域の改善方法には、バスレフ型、バックロードホーン型等、様々な方式を利用した方法があるが、作製上の簡便さから安価に作製が可能なバスレフ方式が最も多く採用されている。バスレフ型スピーカーボックスとしては、例えば、図２に示す様なものがある（特許文献１の図１０参照）。このスピーカーボックス４１は、ボックス本体４２と背面蓋４３とからなり、ボックス本体４２のバッフル板４２ａにはスピーカー取り付け穴４４とダクト取り付け穴４６とが穿設されている。バッフル板４２ａの裏面には、内径をダクト取り付け穴４６に合わせてダクト４７が取付けられており、このダクト４７によってボックス外部に通じる音道が形成されている。
【０００３】
こうしたバスレフ方式の原理は、密閉型エンクロージャーにダクト（共鳴管）を付けたかたちで、音波が空洞（スピーカーボックス）とダクトで共鳴する現象（ヘルムホルツの共振）を利用する。そして、スピーカーユニットの背面からの音を空洞とダクトで共振させて、低音域の量感を補うものである。
【特許文献１】特開平6-217385号公報
【発明の開示】
【発明が解決しようとする課題】
【０００４】
こうしたバスレフ方式の原理により、周波数特性上は低音域までフラットにすることが可能であるが、音色は変えることができず、一般的にバスレフ型スピーカー装置の音は共鳴管の音と言われている。従って、本発明の目的は、バスレフ型スピーカー装置のダクトの共振による低音発生において、その効果を高め、ダクトからの中高域音の漏洩を防ぎ、小型化による音質劣化をなくし、音色的に楽器に近い響きを創出することが可能なバスレフ型スピーカー装置を提供することにある。
【課題を解決するための手段】
【０００５】
上記課題に鑑み、本発明のバスレフ型構造を持つスピーカー装置は、スピーカーの取付部を有する第１室と、音道孔を通って第１室と繋がった第２室と、第２室から第１室を貫通して伸びる貫通管と、貫通管を通って第２室と繋がった第３室を含み、第３室に設けられたダクトを介して外部にスピーカーの音が放射される様に構成されたことを特徴とする。
【０００６】
上記基本構成において、貫通管は第１室から管壁により画され、管壁の強度はスピーカーの音の音圧で振動する程度のものであるのが好ましい。この様に、正常な振動を得るために貫通管以外の本体は音圧に対して無振動に近く設定し、貫通管はそれよりも強度を弱く設定する。これにより、貫通管壁の微妙な振動が確実に起こり、楽器音に近い響きを創出することができる。
【０００７】
また、貫通管は、好適には、第１室から第３室に向かって先太りのテーパー状の形状を有する。これは、音の反射を複雑にするためと、第３室に強い音圧を送るためのものである。
【０００８】
また、好適には、第１室と第２室を繋ぐ音道孔はダクトであり、前記スピーカーは中低域用スピーカーである。
【発明の効果】
【０００９】
本発明の上記バスレフ型構造を持つスピーカー装置によれば、次の様な効果が奏される。
即ち、この構成では、スピーカーボックス内部に独立した３つの部屋を持ち、スピーカーが設置される第１室に貫通管を設け、スピーカー背後の音圧と、迂回して貫通管に入ってくる音圧を貫通管壁を介してぶつける（言い換えれば、貫通管にスピーカー背面と略同位相の音圧を加える）ことで、相互の音圧を相互に高め合う様に設計する。その結果、ダクトからは、バスレフ方式の特徴である「共鳴管の音」が改善されて聴くことができ、低音の音質改善ができ、小型化による音質劣化をなくすことができ、又楽器に近い響きを創出することができる。更に、スピーカー背面から出る中高音は、３つの部屋と貫通管によるフィルター効果により低減され、中高音の漏洩を有効に防ぐことができる。
【００１０】
また、別の表現で言えば、従来のバスレフ型スピーカーシステムでは得られない低音の音色が得られ、全体として、特にボーカル、ソロ楽器において、聴き疲れしない「響き」音が得られる。更に、バスレフ型スピーカー方式の内部構造を改善することにより中低域の音色を原音に近い音色に近づけられる。
【発明を実施するための最良の形態】
【００１１】
以下に、本発明の実施の形態を説明する。
【００１２】
図１は本発明のバスレフ型スピーカー装置の一実施形態を示す斜視図である。ここでは、内部が見える様に描かれている。図１中、１１は、四角形の立体形状をなすバスレフ型スピーカーボックスである。このスピーカーボックス１１は、背面側が開口されたボックス本体１１ａと、このボックス本体１１ａの開口部を閉じる背面蓋１１ｂから構成される。背面蓋１１ｂは壁部材であり、ネジや釘等の手段によってボックス本体１１ａに着脱可能に取り付けられてもよく、また、接着剤等の固着手段により一体的に固定されてもよい。
【００１３】
ボックス本体１１ａは、正面に位置するバッフル板と、このバッフル板の上端から連続して展開される上面板と、バッフル板の下端から連続して展開される下面板と、バッフル板の左右端から夫々連続して展開される側面板を有する。
【００１４】
バスレフ型スピーカーボックス１１内の空間は、第１と第２の区画部材２１、２２により、上から順に、バスレフ構造を持つ第２室１３、第１室１２、第３室１４に区画されている。第１の区画部材２１には、第１室１２と第２室１３を繋ぐ音道孔（ダクト）１７と、貫通管２０用の孔が形成されている。第２の区画部材２２には、貫通管２０用の孔が形成されている。これらの孔の間に、第１室１２を貫通して伸びる貫通管２０が設けられて、これにより第２室１３と第３室１４が繋げられている。
【００１５】
第１室１２のバッフル板には、正面に開口するスピーカー取付穴１６が形成されており、このスピーカー取付穴１６を塞ぐ様にバッフル板の裏面に中低域用スピーカーユニットが止めネジ等の固着手段によって取付けられ様になっている。また、第３室１４のバッフル板の下部には、正面に開口するダクト１８が固定されている。
【００１６】
上記構成において、貫通管２０の強度は木材などの厚みで調整することができる。例えば、スピーカー装置を全般的に１５ｍｍ厚程度の材料を使用して形成している場合は、貫通管２０にだけは９ｍｍ厚程度の材料を使用すると良い。こうすれば、正常な振動を得るために、貫通管２０以外の本体は音圧に対して無振動に近く設定され、貫通管２０はそれよりも強度を弱く設定される。よって、貫通管壁の微妙な振動が確実に生起し、楽器音に近い響きを創出することができる様になる。
【００１７】
スピーカー装置の各部の材料は好みの響きを引き出す様に選択すればよい。例えば、ラワンベニヤなどが通常使われる。しかし、ＭＤＦ等の全く響きのない材料は不適当である。
【００１８】
貫通管２０の形状は、固有の共振を避けるために先太りのテーパー状にするのが良い。更に質感を出したい場合は、貫通管２０の形状の各部に様々な角度を持たせて調整するのが良い。こうして、貫通管２０により、音の反射が複雑にされ、第３室１４に強い音圧を送ることができる。
【００１９】
上記構成は、貫通管２０以外の部位における不要な共振を無くす様に作製するのが良い。例えば、２つの中低域用スピーカーユニットを、互いに背を向けて第１室１２に取り付ける場合、その間に心棒を入れると良い。これにより、スピーカーユニット相互の振動のキャンセルが行われる。こうした心棒ないし補強部材は、強度を補強するのが好ましい箇所に適宜設けることができる。また、スピーカーボックス１１内の各部屋の形状は、楽器の様に、直角面は作らず、響きを出す様に作製するのが良い。  
【００２０】
図１の図示例では、１個の中低域用スピーカーユニットが第１室１２に取り付けられる様になっているが、例えば、第１室１２と第２室１３に夫々１個の中高域用スピーカーを取り付け、第１室１２に互いに背を向け合った２個の中低域用スピーカーを取り付ける様な構造も可能である。ただし、こうした中高域用スピーカーの設置は、本発明とは直接係わりが無い。
【００２１】
上記の実施形態の構成例は、あくまで、本発明のバスレフ型スピーカー装置の一例であり、特許請求の範囲で表現された本発明の考え方に基づく構成の範囲において、構成のアレンジは如何様にも可能である。
【図面の簡単な説明】
【００２２】
【図１】本発明のバスレフ型スピーカー装置の一実施形態を示す斜視図である。
【図２】従来のバスレフ型スピーカーボックスを示す断面図である。
【符号の説明】
【００２３】
１１    スピーカーボックス
１２    第１室
１３    第２室
１４    第３室
１７    音道孔（ダクト）
１８    ダクト
２０    貫通管
２１    第１の区画部材
２２    第２の区画部材
【図１】
2007235282.tif 000003
【図２】
2007235282.tif 000004